(57)【要約】      （修正有）【課題】より多くの衣服付きハンガーを掛けて収納できるハンガー収納家具を提供する。【解決手段】本ハンガー収納家具１は、上下方向に立設された複数本の支柱３と、支柱３に取り付けられ、且つ水平方向に延在する少なくとも２つのハンガー掛け用環状棒５，６と、を備え、一方のハンガー掛け用環状棒５の周長が、他方のハンガー掛け用環状棒６の周長よりも短く、一方のハンガー掛け用環状棒５が、他方のハンガー掛け用環状棒６の内側に配置され、一方のハンガー掛け用環状棒５の取付け高さ位置が、他方のハンガー掛け用環状棒６と略同じ又は他方のハンガー掛け用環状棒６の下方近傍である。【選択図】図１
0003156127.tif 000002
【実用新案登録請求の範囲】
【請求項１】
上下方向に立設された複数本の支柱と、前記支柱に取り付けられ、且つ水平方向に延在する少なくとも２つのハンガー掛け用環状棒と、を備え、
前記一方のハンガー掛け用環状棒の周長が、前記他方のハンガー掛け用環状棒の周長よりも短く、
前記一方のハンガー掛け用環状棒が、前記他方のハンガー掛け用環状棒の内側に配置され、
前記一方のハンガー掛け用環状棒の取付け高さ位置が、前記他方のハンガー掛け用環状棒と略同じ又は前記他方のハンガー掛け用環状棒の下方近傍であることを特徴とするハンガー収納家具。
【請求項２】
前記一方のハンガー掛け用環状棒及び他方のハンガー掛け用環状棒が、それぞれ円環状に形成されており、
前記一方のハンガー掛け用環状棒と他方のハンガー掛け用環状棒との取付け高さの差が、１８ｃｍ以下である、請求項１に記載のハンガー収納家具。
【請求項３】
前記一方のハンガー掛け用環状棒及び他方のハンガー掛け用環状棒が、それぞれ円環状に形成されており、
前記一方のハンガー掛け用環状棒の半径が、前記他方のハンガー掛け用環状棒の半径の０．６倍〜０．９倍であり、
前記一方のハンガー掛け用環状棒の取付け高さ位置が、前記他方のハンガー掛け用環状棒の下方近傍である、請求項１又は２に記載のハンガー収納家具。
【請求項４】
前記支柱がキャスターを備える台座の上に立設されており、前記台座が水平方向に移動可能である、請求項１〜３のいずれかに記載のハンガー収納家具。
【考案の詳細な説明】
【技術分野】
【０００１】
本考案は、スペースを有効に活用して、より多くの衣服類を収納できるハンガー収納家具に関する。
【背景技術】
【０００２】
従来、衣服類をハンガーに掛けた状態で収納できる簡易な家具として、ハンガー収納家具が知られている。以下、本明細書において、衣服類をハンガーに掛けた状態のものを「衣服付きハンガー」という。
例えば、特許文献１には、台座と、台座に回動可能に係合する枠支持台と、枠支持台上の周辺に立脚する１以上の枠と、枠の横方向に掛け渡してなる１以上のハンガー掛け棒と、を有するハンガー収納家具が開示されている。
このハンガー収納家具は、ハンガー掛け棒に衣服付きハンガーを引っ掛けることによって、衣服を収納できる。
【０００３】
しかしながら、上記従来のハンガー収納家具は、枠の１つの面内に掛け渡された１つのハンガー掛け棒に、衣服付きハンガーを掛けるため、より多くの衣服付きハンガーを掛けることができない。
具体的には、１つのハンガー掛け棒に衣服付きハンガーを掛けていくと、ハンガー掛け棒の軸長方向に衣服付きハンガーが揃って並んだ状態となる。衣服は、シャツ等のような薄手の衣服から、スーツ等のような厚手の衣服まで様々存在し、スーツ等の厚手の衣服は、その構造上、肩部が他の部分に比して厚くなっている。また、ハンガー自体も様々な形状のものが知られているが、衣服の形を崩さないように肩部を厚肉化したものが多く用いられている。
このような特定の部分が厚い衣服又はハンガーからなる衣服付きハンガーを、ハンガー掛け棒に掛けた場合、隣合う衣服付きハンガーの厚肉部分が接触することによって、より多くの衣服付きハンガーを掛けることができない。
従って、従来のハンガー収納家具は、枠の１つの面内に掛け得る衣服付きハンガーの数が制限され、スペースを有効に活用できていない。
【先行技術文献】
【特許文献】
【０００４】
【特許文献１】特開平６−２６１８１２号公報
【考案の概要】
【考案が解決しようとする課題】
【０００５】
本考案の目的は、より多くの衣服付きハンガーを掛けて収納できるハンガー収納家具を提供することである。
【課題を解決するための手段】
【０００６】
本考案のハンガー収納家具は、上下方向に立設された複数本の支柱と、前記支柱に取り付けられ、且つ水平方向に延在する少なくとも２つのハンガー掛け用環状棒と、を備え、前記一方のハンガー掛け用環状棒の周長が、前記他方のハンガー掛け用環状棒の周長よりも短く、前記一方のハンガー掛け用環状棒が、前記他方のハンガー掛け用環状棒の内側に配置され、前記一方のハンガー掛け用環状棒の取付け高さ位置が、前記他方のハンガー掛け用環状棒と略同じ又は前記他方のハンガー掛け用環状棒の下方近傍である。
【０００７】
本考案の好ましいハンガー収納家具は、前記一方のハンガー掛け用環状棒及び他方のハンガー掛け用環状棒が、それぞれ円環状に形成されており、前記一方のハンガー掛け用環状棒と他方のハンガー掛け用環状棒との取付け高さの差が、１８ｃｍ以下である。
【０００８】
本考案の他の好ましいハンガー収納家具は、前記一方のハンガー掛け用環状棒及び他方のハンガー掛け用環状棒が、それぞれ円環状に形成されており、前記一方のハンガー掛け用環状棒の半径が、前記他方のハンガー掛け用環状棒の半径の０．６倍〜０．９倍であり、前記一方のハンガー掛け用環状棒の取付け高さ位置が、前記他方のハンガー掛け用環状棒の下方近傍である。
【０００９】
本考案の他の好ましいハンガー収納家具は、前記支柱が、キャスターを備える台座の上に立設されており、前記台座が水平方向に移動可能である。
【考案の効果】
【００１０】
本考案のハンガー収納家具は、周長の短いハンガー掛け用環状棒が、周長の長いハンガー掛け用環状棒の内側に配置され、周長の短いハンガー掛け用環状棒が、周長の長いハンガー掛け用環状棒と略同じ又はその下方近傍に配置されている。
かかるハンガー収納家具の２つのハンガー掛け用環状棒に、交互に衣服付きハンガーを掛けていくことにより、隣合う衣服付きハンガーの厚肉部分が重なり難くなるため、間隔を詰めて衣服付きハンガーを掛けることができる。
従って、本考案のハンガー収納家具は、より多くの衣服付きハンガーを掛けて収納できる。
【図面の簡単な説明】
【００１１】
【図１】本考案の１つの実施形態に係るハンガー収納家具の斜視図。
【図２】同正面図。
【図３】同一部拡大正面図。
【図４】同平面図。
【図５】同ハンガー収納家具のハンガー掛け用に衣服付きハンガーを掛けた状態を表した斜視図。
【図６】同平面図。
【図７】図６のＶＩＩ−ＶＩＩ線で切断した断面図（ただし、下方部分を省略している）。
【考案を実施するための形態】
【００１２】
以下、本考案の好ましい実施形態について、図面を参照しつつ具体的に説明する。
図１〜図４に示すように、本考案のハンガー収納家具１は、台座２と、台座２上に所定間隔を開けて並んで立設され且つ上下方向に延びる複数本の支柱３と、前記支柱３に取り付けられ、且つ水平方向に延在する少なくとも２つのハンガー掛け用環状棒５，６と、を備えている。
この２つのハンガー掛け用環状棒５，６は、衣服付きハンガーが掛けられる部分である。
２つのハンガー掛け用環状棒５，６は、周長（周方向の長さ）が異なっている。すなわち、一方のハンガー掛け用環状棒５の周長は、他方のハンガー掛け用環状棒６の周長よりも短い。以下、周長の短い方のハンガー掛け用環状棒を「小ハンガー掛け用環状棒」といい、周長の長い方のハンガー掛け用環状棒を「大ハンガー掛け用環状棒」という。
【００１３】
前記台座２は、例えば、所定径（例えば直径１６〜３２ｍｍ程度）のステンレス製などのパイプ材を円環状に形成した、環状体からなる。なお、台座２は、環状体に限られず、板体、網目体などでもよい。
台座２の内側には、補強用のリンク部２１が十字に架け渡されている。
また、台座２の下側には、所定間隔を開けて複数（例えば、４個）のキャスター９が具備されている。このキャスター９を介して、台座２は、載置面上を水平方向に移動可能である。
【００１４】
前記支柱３は、例えば、所定径（例えば直径１６〜３２ｍｍ程度）のステンレス製などのパイプ材などからなる。
支柱３の数は、衣服付きハンガーを掛けたときに十分な耐荷重性を有することを条件として、特に限定されない。本実施形態では、４本の支柱３が、台座２の上に等間隔で並んで立設されている。
【００１５】
なお、支柱３の上下方向略中央部には、水平方向に延在する平面視略Ｃ字状の補強棒４が取り付けられている。補強棒４は、ハンガー掛け用環状棒と同様なパイプ材で形成できる。
この補強棒４は、各支柱３をその中途部において結束して補強するために設けられている。また、必要に応じて、この補強棒に衣服付きハンガーを掛けることもできる。
【００１６】
小ハンガー掛け用環状棒５及び大ハンガー掛け用環状棒６は、例えば、所定径（例えば直径１０〜３２ｍｍ程度）のステンレス製などのパイプ材を環状に形成した、環状体からなる。
なお、小ハンガー掛け用環状棒５及び大ハンガー掛け用環状棒６は、図示したように無端状の環状体が好ましいが、両端部の間に少しの間隙を有する有端状の環状体を用いてもよい。
【００１７】
小ハンガー掛け用環状棒５及び大ハンガー掛け用環状棒６の平面視形状としては、円環状（円環状の円とは、真円のみならず、楕円を含む）、矩形環状や六角形環状などの多角形環状などが挙げられる。本考案では、両ハンガー掛け用環状棒は、環状に形成されていることを条件にして、その平面視形状は特に限定されない。
もっとも、小ハンガー掛け用環状棒５及び大ハンガー掛け用環状棒６が何れも平面視多角形環状に形成されている場合には、両ハンガー掛け用環状棒５，６に掛けた隣合う衣服付きハンガー同士が、両ハンガー掛け用環状棒５，６の角部において干渉し易い。このため、両ハンガー掛け用環状棒５，６へ掛け得る衣服付きハンガーの数が相対的に少なくなる。この点、小ハンガー掛け用環状棒５及び大ハンガー掛け用環状棒６が何れも平面視円環状に形成されている場合には、両ハンガー掛け用環状棒５，６の周方向全体に渡って均一に衣服付きハンガーを掛けることができる。従って、より多くの衣服付きハンガーを掛けることができるので、小ハンガー掛け用環状棒５及び大ハンガー掛け用環状棒６は、図４に示すように、平面視円環状に形成されていることが好ましい
【００１８】
小ハンガー掛け用環状棒５は、その周長が、大ハンガー掛け用環状棒６の周長の０．６倍〜０．９倍に形成されていることが好ましい。小ハンガー掛け用環状棒５と大ハンガー掛け用環状棒６の周長差が余りに小さいと、小ハンガー掛け用環状棒５（又は大ハンガー掛け用環状棒６）が邪魔になって衣服付きハンガーを大ハンガー掛け用環状棒６（又は小ハンガー掛け用環状棒５）に掛け難くなる。一方、小ハンガー掛け用環状棒５と大ハンガー掛け用環状棒６の周長差が余りに大きいと、相対的に小ハンガー掛け用環状棒５の周長が短くなるため、小ハンガー掛け用環状棒５へ掛け得る衣服付きハンガーの数が少なくなるからである。
【００１９】
小ハンガー掛け用環状棒５及び大ハンガー掛け用環状棒６の各周長は、特に限定されず、適宜設計できる。
最も好ましい具体的数値を示すと、小ハンガー掛け用環状棒５の周長は、１５７ｃｍ（直径５０ｃｍ）〜１７３ｃｍ（直径５５ｃｍ）程度であり、大ハンガー掛け用環状棒６の周長は、１７３ｃｍ（直径５５ｃｍ）〜２５０ｃｍ（直径８０ｃｍ）程度である。
【００２０】
両ハンガー掛け用環状棒５，６は、何れも支柱３の上方部に取り付けられている。もっとも、両ハンガー掛け用環状棒５，６の取付け位置は支柱３の上方部に限られず、支柱３の上下方向中途部であってもよい。
【００２１】
前記小ハンガー掛け用環状棒５は、大ハンガー掛け用環状棒６の内側に配置されている。つまり、平面から見たとき、小ハンガー掛け用環状棒５の全体が、大ハンガー掛け用環状棒６の内側に入り込むように、両ハンガー掛け用環状棒５，６は配置されている。
【００２２】
また、小ハンガー掛け用環状棒５の支柱３に対する取付け高さ位置と大ハンガー掛け用環状棒６の支柱３に対する取付け高さ位置は、略同じでもよい（図示せず）。この場合、小ハンガー掛け用環状棒５の取付け高さと大ハンガー掛け用環状棒６の取付け高さの差は、零である。
なお、取付け高さ位置とは、図２のように正面から見たとき、ハンガー掛け用環状棒の支柱の上下方向における位置をいう。
【００２３】
好ましくは、図１〜図３に示すように、小ハンガー掛け用環状棒５の取付け高さ位置は、大ハンガー掛け用環状棒６の下方近傍である。
小ハンガー掛け用環状棒５が大ハンガー掛け用環状棒６と略同じ高さに取り付けられている場合、この両ハンガー掛け用環状棒５，６に衣服付きハンガーを交互に掛けていくと、隣合う衣服付きハンガーを内外方向に位置ずれした状態で係止できる。一方、小ハンガー掛け用環状棒５が大ハンガー掛け用環状棒６の下方近傍位置に取り付けられている場合、この両ハンガー掛け用環状棒５，６に衣服付きハンガーを交互に掛けていくと、隣合う衣服付きハンガーを内外方向及び上下方向に位置ずれした状態で係止できる。前者の場合と後者の場合を比較すると、後者の方が、隣合う衣服付きハンガーの肩部が内外上下方向に位置ずれするので、より多くの衣服付きハンガーを掛けることができるので好ましい。
【００２４】
小ハンガー掛け用環状棒５が大ハンガー掛け用環状棒６の下方近傍に取り付けられる場合、小ハンガー掛け用環状棒５の取付け高さ位置と大ハンガー掛け用環状棒６の取付け高さ位置の差は、特に限定されない。ただし、両者が余りに離れていると、２つのハンガー掛け用環状棒を設けてスペースを有効に活用するという意義が無くなる。従って、図３に示すように、小ハンガー掛け用環状棒５と大ハンガー掛け用環状棒６との取付け高さの差Ｈは、好ましくは１８ｃｍ以下であり、より好ましくは、５ｃｍ〜１３ｃｍである。
【００２５】
両ハンガー掛け用環状棒５，６の具体的な取付構造は、特に限定されないが、例えば、次のような構造が挙げられる。
具体的には、各支柱３の上端部からやや下方寄りの内側に、スペーサー７がそれぞれ取り付けられている。小ハンガー掛け用環状棒５の外縁を、各スペーサー７の内側に外接させることにより、スペーサー７を介して小ハンガー掛け用環状棒５が支柱３に取り付けられている。
一方、大ハンガー掛け用環状棒６は、大ハンガー掛け用環状棒６の内縁を各支柱３の上端部の外側に内接させることによって、小ハンガー掛け用環状棒５よりも上方に取り付けられている。
【００２６】
また、大ハンガー掛け用環状棒６の上方には、支持枠８が設けられている。この支持枠８の上から防塵カバー（図示せず）を被せることにより、ハンガー収納家具１の外側を防塵カバーで覆うことできる。この支持枠８は、被せた防塵カバーを下方から支持する骨組部材として機能する部分である。支持枠８は、大ハンガー掛け用環状棒６よりも周長の大きい環状体（例えば、図示したような矩形環状）で形成されている。また、支持枠８は、大ハンガー掛け用環状棒６の内側に架け渡されたリンク部８１の中央部に立設された連結部８２を介して、大ハンガー掛け用環状棒６に取り付けられている。
【００２７】
上記ハンガー収納家具１は、図５〜図７に示すように、小ハンガー掛け用環状棒５及び大ハンガー掛け用環状棒６に衣服付きハンガーＡ５，Ａ６を掛けて使用される。
なお、小ハンガー掛け用環状棒５及び大ハンガー掛け用環状棒６には、その周方向全体に隙間無く衣服付きハンガーをそれぞれ掛けることが可能であるが、図５〜図７においては、そのうちの一部の衣服付きハンガーが図示されていることに留意されたい。
【００２８】
具体的には、小ハンガー掛け用環状棒５と大ハンガー掛け用環状棒６に、交互に衣服付きハンガーＡ５，Ａ６を掛けていくと、隣合う衣服付きハンガーＡ５，Ａ６（小ハンガー掛け用環状棒５に掛けられた衣服付きハンガーＡ５と大ハンガー掛け用環状棒６に掛けられた衣服付きハンガーＡ６）が、内外方向及び上下方向に位置ずれした状態で掛止される。
従って、図７に示すように、大ハンガー掛け用環状棒６に掛けられた衣服付きハンガーＡ６の肩部Ａ６ａ（厚肉部分）が、小ハンガー掛け用環状棒５に掛けられた衣服付きハンガーＡ５の肩部Ａ５ａ（厚肉部分）の上方外側に位置する。従って、両ハンガー掛け用環状棒５，６に掛けられた各衣服付きハンガーＡ５，Ａ６の厚肉部分が重なり難く、間隔を詰めて衣服付きハンガーを掛けていくことができる。
このように本考案のハンガー収納家具１を用いれば、より多くの衣服付きハンガーを掛けて収納できる。
【００２９】
なお、上記実施形態においては、ハンガー掛け用環状棒は、２本であったが、３本以上であってもよい。ハンガー掛け用環状棒が、例えば、３本の場合、上記小ハンガー掛け用環状棒５及び大ハンガー掛け用環状棒６に加えて、小ハンガー掛け用環状棒５よりも周長の短い又は大ハンガー掛け用環状棒６よりも周長の長い第３本目のハンガー掛け用環状棒が、支柱３に取り付けられる。
【００３０】
さらに、上記実施形態においては、台座２に直接支柱３が取り付けられているが、例えば、台座２上に、台座２に対して回転自在な回転フレーム又は回転盤（上下方向軸を回転中心軸とする）を設け、この回転フレーム又は回転盤の上に上記支柱３が立設されていてもよい。
【産業上の利用可能性】
【００３１】
本考案のハンガー収納家具は、衣服を掛けたハンガーを収納するために使用できる。
【符号の説明】
【００３２】
１…ハンガー収納家具、２…台座、３…支柱、５…小ハンガー掛け用環状棒（一方のハンガー掛け用環状棒）、６…大ハンガー掛け用環状棒（他方のハンガー掛け用環状棒）、７…スペーサー、８…支持枠、９…キャスター、Ａ５，Ａ６…衣服付きハンガー、Ｈ…小ハンガー掛け用環状棒と大ハンガー掛け用環状棒の取付け高さの差（高低差）
【図１】
0003156127.tif 000003
【図２】
0003156127.tif 000004
【図３】
0003156127.tif 000005
【図４】
0003156127.tif 000006
【図５】
0003156127.tif 000007
【図６】
0003156127.tif 000008
【図７】
0003156127.tif 000009